(57)【特許請求の範囲】
【請求項１】
版胴と、各軸の上に取り付けられているゴム胴と、位置修正の働きをす
る横方向見当調整装置を有し、前記版胴とその軸が移動可能である、印刷機の版胴支持装
置であって、前記ゴム胴の軸の両端に向かう方向に延び、前記版胴の軸をその軸方向位置
に保つ２本の支持レバーを有しており、前記版胴の軸は自動調心軸受によってその両端の
各々に前記支持レバーの１つが接続され、前記両支持レバーは、前記版胴の軸方向に揺動
可能なように球面軸受によって印刷機ハウジングに接続されている版胴支持装置。
【請求項２】
前記ゴム胴の軸が複数の支持部品を有し、前記球面軸受が前記ゴム胴の
軸の前記支持部品に取り付けられたリンク上に配置されている、請求項１に記載の版胴支持装置。
【請求項３】
前記自動調心軸受が球面玉軸受である、請求項１に記載の版胴支持装置。
【請求項４】
前記版胴の軸を前記印刷機ハウジング内に保持する、他の軸受を有する、請求項１に記載の版胴支持装置。
【請求項５】
半径方向に配置された面平行の複数の支持面を有し、前記版胴の軸の両端の１つから軸方向に延びるボルトと、前記ボルトとの間で回転運動が可能なように前記支持面と係合可能な調整要素とを含む、請求項１に記載の版胴支持装置。
【請求項６】
前記調整要素は、前記版胴の軸と同軸に延びて前記印刷機ハウジングに固定的に結合されているねじの中にこれと噛み合って収容されているねじ部材を含み、前記版胴支持装置は前記調整要素を回転させるオペレータ操作要素を有している、請求項５に記載の版胴支持装置。
【請求項７】
前記調整要素と前記オペレータ操作要素の間に配置され、前記調整要素の上に配置された、軸方向に整列した環状歯車と、前記オペレータ操作要素と動作可能に結合された歯車とを有する歯車装置を含み、前記環状歯車と前記歯車は噛み合い係合している、請求項６に記載の版胴支持装置。
【請求項８】
前記オペレータ操作要素は手動操作用の回転ノブであり、該回転ノブは軸によって前記歯車に結合されている、請求項７に記載の版胴支持装置。
【請求項９】
前記印刷機ハウジングに固定的に結合され、前記調整要素を案内する少なくとも１つの軸受を含む、請求項５に記載の版胴支持装置。
【請求項１０】
前記調整要素と前記ボルトの間の回転運動を可能にする、結合の遊びのない調整のための、前記ボルトの端に設けられた２つのロックナットを含む、請求項５に記載の版胴支持装置。
【発明の詳細な説明】
【０００１】
【発明が属する技術分野】
本発明は、版胴と、各軸の上に取り付けられているゴム胴と、位置修正の働きをする横方向見当調整装置を有し、前記版胴とその軸が移動可能である、印刷機の版胴支持装置に関する。
【０００２】
多色印刷のための輪転印刷機においては、種々の色の見当が相互に合致しなければならないことに問題がある。この目的のためには、すべての版胴が一つの版胴の軸方向位置及び周方向位置に合うように修正されるということで、各版胴が相互に正確に揃えられる。本発明は、この横方向見当の修正を可能にするような版胴支持装置に関する。
【０００３】
【従来の技術】
西独特許出願公開２７  ２０  ３１３号により版胴支持装置が公知になっていて、その版胴支持装置においては、版胴がその軸と共に移動可能なようにブッシュの中で支持されている。横方向見当の修正は、版胴上に固定的に取り付けられた移動用ブッシュに旋回レバーが係合していて、その揺動レバーがウオームギヤ装置によって移動させられるということで行われる。
【０００４】
見当のずれの把握のためには、新しい印刷ジョブの開始に際して、先ず、試し印刷が行われる。それから、横方向及び周方向の見当の修正が行われる。しかし、試し印刷を行ったからには、機械は印刷作動の位置関係にある。この位置関係においては、各々の胴の両端に配置された胴まくら同志が大きい力でもって相互に押し当たっている。したがって、版胴の軸には大きい力が作用しており、軸方向の移動は、それの両方の軸受における非常に大きな摩擦力の克服を必要とする。このことにより、移動のための大きな力の消費や、高価な軸受が必要になる。そうでなければ、横方向見当修正を行うためには印刷作動の位置関係から外れた位置に入れることが必要になる。しかし、この方法においては、貴重な時間が失われる。
【０００５】
【発明が解決しようとする課題】
本発明の目的は、印刷作動の位置関係にあるときでも版胴がその軸と共に大きな力の消費なしに移動可能であり、そこでは簡単な軸受で十分である、前記種類の版胴支持装置を提供することにある。
【０００６】
【課題を解決するための手段】
この目的は、本発明によれば、ゴム胴の軸の両端に向かう方向に延び、版胴の軸をその軸方向位置に保つ２本の支持レバーを有しており、版胴の軸は自動調心軸受によってその両端の各々に支持レバーの１つが接続され、両支持レバーは、版胴の軸方向に揺動可能なように球面軸受によって印刷機ハウジングに接続されている、ことによって達成される。
【０００７】
本発明の利点は、軸受における軸の移動がなくなるので、簡単な自動調心軸受で十分であることにある。軸の移動は、極めて少ない力の消費によってでも可能であり、そのことにより、横方向見当調整装置は、簡単かつ安価に構成され得る。さらに、この移動の際に克服されねばならない摩擦力が小さいので、調整の過程の正確性が高まる。
【０００８】
球面軸受は、直接、機械のハウジング上にあってよいし、ゴム胴の軸の軸受部分上に配置されていてもよいし、ゴム胴の軸の軸受部分に取り付けられたリンクの上にあってもよい。最後に述べた方策は、そのようなリンクを有する機械の場合に、極めてスペース節約的な方策である。
【０００９】
横方向見当調整のために必要な力をさらに低下させることが、自動調心軸受が球面玉軸受として構成されることによって達成される。
【００１０】
一つの発展態様は、版胴の軸を印刷機のハウジング内に保持する他の軸受を備えている。これら軸受は、単にインキ／湿し水装置の重量を受け持つだけのものであり、したがって、横方向見当調整を妨げるような大きな摩擦力を発生することがない。
【００１１】
版胴の移動のためには、半径方向に配置された面平行の複数の支持面を有し、版胴の軸の両端の１つから軸方向に延びるボルトと、ボルトとの間で回転運動が可能なように支持表面部材と係合可能な調整要素とを含む。横方向見当調整装置は、種々の方法で構成され得る。一つの可能性は前記のとおりであって、それは引用した従来技術で公知のものである。
【００１２】
しかし、本発明の一つの発展態様は、簡単に構成され得て、本発明の版胴支持装置における諸要求を完全に満たすような横方向見当調整装置を備えている。この横方向見当調整装置の構成についてと、他の諸利点については、図面の説明を参照すればよい。
【００１３】
【実施例】
次に、本発明の実施例について図面を参照して説明する。
【００１４】
図１は、複数ある胴の端面側を示していて、そこでは、それら胴が見えるように、印刷機のハウジング６を除いてある。見られるのは、版胴１、ゴム胴２４、および圧胴３０である。版胴１は版を担持して印刷絵柄をゴム胴２４に移行させ、ゴム胴２４は圧胴３０上の紙葉に印刷を行う。版胴軸２は自動調心軸受５を有し、自動調心軸受５は支持レバー３によって抱かれている。支持レバー３は、ゴム胴軸４に向かう方向に延びている。ゴム胴軸４は、その端部に球面玉軸受７を有していて、球面玉軸受７は、ゴム胴軸４の軸受部分９に取り付けられたリンク８に固定されている。版胴軸２の図示されていない他方の端にも、上記の構造がある。このようにして、版胴１は、軽く移動できるように、二つの支持レバー３によって保持されている。
【００１５】
図２は、 図１のＢ−Ｂ断面を示している。この図においては、版胴１とゴム胴２４が、前述した大きな半径方向の力を発生させている各々の胴まくら３２でもって、どのように相互に動いているかが見られる。そこでは、版胴１は、軸受２６があることによって版胴軸２上で回転し、ゴム胴２４は、軸受２７があることによってゴム胴軸４上で回転する。ゴム胴軸４は、両方の軸受部分９において、印刷機のハウジング６の中で支持されている。版胴軸２の支持は、リンク８、球面軸受７、支持レバー３、および自動調心軸受５を介して、前述のように行われている。この実施例においては、版胴軸２のための別の軸受１０が設けられていて、軸受１０は、インキ／湿し水装置の重量を受け持つ。上記の各部品が、同様に印刷機の他方の側にある。矢印３３は支持レバー３の揺動運動を示し、矢印３４は版胴軸２の軸方向移動を示しており、それに応ずるように、版胴１が横方向見当修正の際に移動する。
【００１６】
版胴軸２はそれの一方の端に、軸を軸方向に延長するボルト１１を支持していて、このボルト１１上には、半径方向に置かれた平行２平面型の支持面１２がある。これら支持面１２の中に、横方向見当調整装置１４の調整要素１３が、ボルト１１と調整要素１３の間で回転運動は可能であるが軸方向移動は遊びなしに伝達されるようにして係合している。この結合は、例えば、リング３５がボルト１１の両支持面１２の間で動くということで構成されていてよい。摩擦を低減させるためには、両支持面１２がスラスト軸受として構成されていればよい。リング３５は、ねじ３６によって、軸方向のねじボルト１５を有している調整要素１３と結合されている。このねじボルト１５は、印刷機のハウジング６と固定的に連結された担持体２３の中にあるねじ１６の中で支持されている。
【００１７】
調整要素１３とボルト１１の間の回転を許している結合は、カウンターナット２８によって遊びがないように調整される。それらロックナット２８は、ボルト１１の端にある。ロックナット２８のしかるべき調整によって、ロックナット２８が、調整要素１３のリング３５が遊びなしに動かされるように両支持面１２の間隔を狭める円板２９に押し当たる。
【００１８】
調整要素１３は、追加の案内のために、担持体２３によって保持された二つの軸受２２を有している。さらに、調整要素１３は、軸方向にある環状歯車１９を担持しており、環状歯車１９は、操作要素１７と結合された軸２１上にある歯車３１と噛み合っている。操作要素１７としては、手動の駆動と電動の駆動があり得るが、図示の実施例では、手動の駆動のための回転ノブ２０が選択された。環状歯車１９と歯車３１は、最適の移動が行われ得るために必要な歯車比を有する歯車装置１８を形成している。表示装置２５は、修正がどの方向にどれだけ行われたかを表示する。
【００１９】
【発明の効果】
以上説明したように、本発明によれば、印刷作動の位置関係にあるときでも版胴がその軸と共に大きな力の消費なしに移動可能であり、かつ簡単な軸受で十分であるという効果がある。
【図面の簡単な説明】
【図１】支持レバーを有する、複数ある胴の端面側を見た図である。
【図２】横方向見当調整装置を有する、 図１のＢ−Ｂ断面図である。
【符号の説明】
１  版胴
２  版胴軸
３  支持レバー
４  ゴム胴軸
５  自動調心軸受
６  印刷機のハウジング
７  球面玉軸受
８  リンク
９  軸受部分
１０  軸受
１１  ボルト
１２  平行２平面型の支持面
１３  調整要素
１４  横方向見当調整装置（全体）
１５  ねじボルト
１６  ねじ
１７  操作部材
１８  歯車装置
１９  環状歯車
２０  回転ノブ
２１  軸
２２  軸受
２３  担持体
２４  ゴム胴
２５  表示装置
２６  版胴１の支持体（軸受）
２７  ゴム胴２４の支持体（軸受）
２８  ロックナット
２９  円板
３０  圧胴
３１  歯車
３２  胴まくら
３３，３４  矢印
３５  リング
３６  ねじ
【図１】
0003746818.tif 000002
【図２】
0003746818.tif 000003